(57)【要約】【課題】容易かつ確実に被記録媒体を手差し給送可能な給送装置、該給送装置を具備した記録装置、及び液体噴射装置を提供すること。【解決手段】被記録媒体Ｐと接触し、回動することにより該被記録媒体Ｐを下流側に給送する第１給送ローラ２５と、被記録媒体Ｐを略水平姿勢で複数枚セット可能に構成され、揺動することにより当該第１給送ローラ２５に対して圧接及び離間動作可能なホッパ２０３と、前記ホッパ２０３の上部に配設され、被記録媒体Ｐを前記第１給送ローラ２５下まで手差しでセット可能な手差しトレイ６０と、を備え、前記ホッパ２０３にセットされた被記録媒体を前記第１給送ローラ２５によって給送する通常給送経路と、前記手差しトレイ６０にセットされた被記録媒体Ｐを前記第１給送ローラ２５によって給送する手差し給送経路とを有し、前記手差しトレイ６０の下流側が可撓性部材１００により構成されている。【選択図】        図６
2004269124.tif 000002
【特許請求の範囲】
【請求項１】
被記録媒体と接触し、回動することにより該被記録媒体を下流側に給送する第１給送ローラと、
被記録媒体を略水平姿勢で複数枚セット可能に構成され、揺動することにより前記第１給送ローラに対して圧接及び離間動作可能なホッパと、
前記ホッパの上部に配設され、被記録媒体を前記第１給送ローラ下まで手差しでセット可能な手差しトレイと、を備え、
前記ホッパにセットされた被記録媒体を前記第１給送ローラによって給送する通常給送経路と、前記手差しトレイにセットされた被記録媒体を前記第１給送ローラによって給送する手差し給送経路とを有し、
前記手差しトレイの下流側が可撓性部材により構成されていることを特徴とする、給送装置。
【請求項２】
請求項１において、前記可撓性部材は前記ホッパの圧接動作によって、前記手差しトレイにセットされた被記録媒体を前記手差し給送経路下流側の被記録媒体給送経路へとガイドするように撓み変形可能に構成されていることを特徴とする、給送装置。
【請求項３】
請求項１または請求項２において、前記第１給送ローラの下流側近傍には、前記通常給送経路または前記手差し給送経路を経て給送された被記録媒体をより下流側に給送する被記録媒体給送手段が配設され、
この被記録媒体給送手段によって、当該被記録媒体がガイド部材のガイド面に沿って斜め上方に向けて給送される構成であることを特徴とする、給送装置。
【請求項４】
請求項１から請求項３のいずれか一項において、前記可撓性部材は、前記第１給送ローラの配置位置より下流側であり、かつ、前記ホッパまたは前記手差しトレイにセットされる被記録媒体の先端位置より上流側まで延在して設けられていることを特徴とする、給送装置。
【請求項５】
請求項３または請求項４において、前記ガイド部材は前記ホッパまたは前記手差しトレイにセットされる被記録媒体の先端が当接する略垂直な当接面を有し、当該当接面が前記ガイド面と連続して設けられていることを特徴とする、給送装置。
【請求項６】
請求項１から請求項５のいずれか一項において、前記ホッパの下流側であって、前記第１給送ローラと接触する箇所に摩擦部材が設けられていることを特徴とする、給送装置。
【請求項７】
請求項１から請求項６のいずれか一項において、前記手差しトレイには被記録媒体の幅方向にスライド移動可能に構成され、当該手差しトレイにセットされた被記録媒体の側辺を規制するエッジガイドが設けられていることを特徴とする、給送装置。
【請求項８】
請求項１から請求項７のいずれか一項において、前記ホッパの揺動支点は、前記第１ローラとの圧接点から上流側に設けられていることを特徴とする、給送装置。
【請求項９】
請求項８において、前記手差しトレイにおける前記可撓性部材の上流側近傍位置に突出形成された一対の軸を支持する軸受穴が、当該手差しトレイの被記録媒体載置面に対して略垂直方向に延びる長穴で構成されていることを特徴とする、給送装置。
【請求項１０】
請求項９において、前記手差しトレイは、前記軸を支点として揺動可能に構成されていることを特徴とする、給送装置。
【請求項１１】
被記録媒体に記録を行う記録装置であって、請求項１から請求項１０のいずれか一項に記載の給送装置を具備していることを特徴とする、記録装置。
【請求項１２】
被噴射媒体と接触し、回動することにより該被噴射媒体を下流側に給送する第１給送ローラと、
被噴射媒体を略水平姿勢で複数枚セット可能に構成され、揺動することにより前記第１給送ローラに対して圧接及び離間動作可能なホッパと、
前記ホッパの上部に構成され、被噴射媒体を前記第１給送ローラ下まで手差しでセット可能な手差しトレイと、を備え、
前記ホッパにセットされた被噴射媒体を前記第１給送ローラによって給送する通常給送経路と、前記手差しトレイにセットされた被噴射媒体を前記第１給送ローラによって給送する手差し給送経路とを有し、
前記手差しトレイの下流側が可撓性部材により構成されていることを特徴とする、液体噴射装置。
【発明の詳細な説明】
【０００１】
【発明の属する技術分野】
本発明は、給送装置、記録装置及び液体噴射装置に関する。
より詳しくは、本発明はインク等の液体をそのヘッドから吐出（噴射）して被記録媒体（被噴射媒体）に記録を実行する（液体を付着させる）インクジェットプリンタなどの記録装置（液体噴射装置）に具備される給送装置、該給送装置を具備した記録装置（液体噴射装置）に関するものである。
【０００２】
なお液体噴射装置とは、インクジェット式の記録ヘッドが用いられ、該記録ヘッドからインクを吐出して被記録媒体に記録を行うプリンタ、複写機およびファクシミリ等の記録装置に限らず、インクに換えてその用途に対応する液体を前記記録ヘッドに相当する液体噴射ヘッドから被記録媒体に相当する被噴射媒体に噴射して、前記液体を前記被噴射媒体に付着させる装置を含むものである。
【０００３】
液体噴射ヘッドとして前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【０００４】
【従来の技術】
記録装置及び液体噴射装置の一例であるインクジェットプリンタ（以下、「プリンタ」という。）は、被記録媒体（液体噴射媒体）の一例である印刷用紙（以下、「用紙」という。）を記録実行手段（液体噴射実行手段）の一例である記録ヘッド下に向けて給送し、この記録ヘッドから液体の一例であるインクを吐出することにより、用紙に記録（印刷）を実行するものである。
【０００５】
印刷対象である用紙は、給紙トレイに複数枚スタックできるように構成されており、前記プリンタには、記録実行前にこの給紙トレイから用紙を１枚ずつ下流側に向けて給送する給送装置（給紙装置）が備え付けられている。
【０００６】
この給送装置には、用紙を複数枚支持する用紙セット部と、この用紙セット部にセットされた用紙を下流側に給送する給送ローラが設けられており、さらに同一の給送ローラを利用して手差し給紙する手差し給紙部が、前記用紙セット部の上部に構成されたものがある（例えば、特許文献１参照）。
【０００７】
このように上部に手差し給紙部、その下部に用紙セット部が構成された給送装置においては、手差し給紙部にセットされるべき用紙が用紙セット部に垂れ落ちて給紙できなくなるなど、用紙のセット性に問題があった。
【０００８】
また、特に手差し給紙部から給送された用紙が湾曲姿勢となって給紙される場合には、その用紙の剛性（いわゆる、「コシ」）により用紙後端が手差し給紙部に強く押しつけられ、給送時の負荷となることがあった。
【０００９】
【特許文献１】
特開２００２−６８５３５号公報
【００１０】
【発明が解決しようとする課題】
本発明はこのような実情に鑑みなされたものであって、その課題は、容易かつ確実に被記録媒体を手差し給送可能な給送装置、該給送装置を具備した記録装置、及び液体噴射装置を提供することにある。
【００１１】
【課題を解決するための手段】
上記課題を解決するため、本発明の第１の態様は、被記録媒体と接触し、回動することにより該被記録媒体を下流側に給送する第１給送ローラと、被記録媒体を略水平姿勢で複数枚セット可能に構成され、揺動することにより前記第１給送ローラに対して圧接及び離間動作可能なホッパと、前記ホッパの上部に配設され、被記録媒体を前記第１給送ローラ下まで手差しでセット可能な手差しトレイと、を備え、前記ホッパにセットされた被記録媒体を前記第１給送ローラによって給送する通常給送経路と、前記手差しトレイにセットされた被記録媒体を前記第１給送ローラによって給送する手差し給送経路とを有し、前記手差しトレイの下流側が可撓性部材により構成されていることを特徴とする。
【００１２】
本発明によれば、手差しトレイの下流側が可撓性部材により構成されているため、ホッパにセットされた被記録媒体に当該手差しトレイとの接触痕を残すことがないとともに、被記録媒体の通常給送経路を経た給送動作を妨げることがない。
【００１３】
すなわち、手差しトレイの下流側、つまり被記録媒体給送動作時におけるホッパの第１給送ローラに対する圧接によって、このホッパと接触する箇所であり、また、手差しトレイまたはホッパにセットされた被記録媒体先端部分に対応する箇所が可撓性部材により構成されているので、ホッパの圧接動作に伴って当該ホッパにセットされた被記録媒体が持ち上げられ手差しトレイに下側から接触しても、この可撓性部材が撓むことにより被記録媒体に接触痕などの不具合を生じさせることがない。また、ホッパにセットされた被記録媒体が通常給送経路を経て給送される場合に、被記録媒体は上述したようにホッパの圧接動作によって可撓性部材に下側から接触してホッパとの間で狭持されるが、可撓性部材が撓むことによってその狭持力が弱められる。従って、給送負荷（バックテンション）を生じさせること無く被記録媒体をスムーズに給送できる。
【００１４】
また、手差しトレイに被記録媒体をセットする場合には、可撓性部材の上面に沿ってガイドさせることにより、容易かつ確実に被記録媒体を正規な位置にセットすることができる。従って、給送不良などの不具合を生じることがなく、被記録媒体を確実に給送できる。
【００１５】
また、本発明の第２の態様は、前記第１の態様において、前記可撓性部材は前記ホッパの圧接動作によって、前記手差しトレイにセットされた被記録媒体を前記手差し給送経路下流側の被記録媒体給送経路へとガイドするように撓み変形可能に構成されていることを特徴とする。
【００１６】
本発明によれば、可撓性部材はホッパの圧接動作によって、手差しトレイにセットされた被記録媒体を手差し給送経路下流側の被記録媒体給送経路へとガイドするように撓み変形可能に構成されているので、手差し給送経路とその下流側の被記録媒体給送経路とが直線上に構成されていなくても、手差しトレイにセットされた被記録媒体を確実に被記録媒体給送経路へとガイドしてこれを下流側に給送することができる。
【００１７】
また、本発明の第３の態様は、前記第１または第２の態様において、前記第１給送ローラの下流側近傍には、前記通常給送経路または前記手差し給送経路を経て給送された被記録媒体をより下流側に給送する被記録媒体給送手段が配設され、この被記録媒体給送手段によって、当該被記録媒体がガイド部材のガイド面に沿って斜め上方に向けて給送される構成であることを特徴とする。
【００１８】
通常搬送経路または手差し搬送経路を経て給送された被記録媒体が被記録媒体給送手段によってガイド部材のガイド面に沿って斜め上方に向けて給送される構成であると、この被記録媒体は湾曲姿勢に変形されて下流側に給送されることとなる。そのため湾曲姿勢である被記録媒体には復元作用に基づく反力が生じ、これにより被記録媒体後端が手差しトレイに強く押しつけられ給送負荷（バックテンション）を生じさせることがある。この給送負荷は、給送対象である被記録媒体の剛性（いわゆる、「コシ」。）、または被記録媒体の湾曲姿勢が大になるほど大になる。
しかし本発明においては、前記したように手差しトレイの下流側が可撓性部材により構成されているため、湾曲姿勢に変形されて給送される被記録媒体後端が手差しトレイに押しつけられても、その下流側の可撓性部材が撓むことにより当該被記録媒体に生じる反力が吸収され、もって給送負荷（バックテンション）を低減させることができる。従って、湾曲姿勢となって給送される被記録媒体をスムーズに給送することができる。
【００１９】
また、本発明の第４の態様は、前記第１から第３のいずれかの態様において、前記可撓性部材は、前記第１給送ローラの配置位置より下流側であり、かつ、前記ホッパまたは前記手差しトレイにセットされる被記録媒体の先端位置より上流側まで延在して設けられていることを特徴とする。
【００２０】
本発明によれば、可撓性部材は第１給送ローラの配置位置より下流側であり、かつ、ホッパまたは手差しトレイにセットされる被記録媒体の先端位置より上流側まで延在して設けられているので、手差しトレイに被記録媒体をセットする場合にこの可撓性部材の上面に沿って差し込むことで被記録媒体を確実に正規な位置まで手差しセットすることができ、この被記録媒体を確実に給送することができる。すなわち、例えば可撓性部材が短い場合には手差しトレイにセットしようとする被記録媒体の先端が垂れ落ち、正規位置にセットできずに給送されなくなる虞があるが、本発明ではこのような虞がなく、被記録媒体を確実に手差しトレイにセットして下流側に給送することができる。
【００２１】
また、ホッパにセットされた被記録媒体は、ホッパの圧接動作により第１給送ローラに押しつけられてホッパと手差しトレイとの間で挟まれるが、可撓性部材は被記録媒体の先端より上流側に位置するので、この被記録媒体は可撓性部材より下流側を通って給送される。そのため可撓性部材が被記録媒体の搬送経路を妨げることが無く、当該被記録媒体をスムーズに給送することが可能である。
【００２２】
また、例えば可撓性部材が短い場合（すなわち、自己の剛性によって充分に撓むことができない場合）には、可撓性部材がもつ剛性により、ホッパと手差しトレイとの間で被記録媒体が強く挟み込まれてしまい、給送負荷が大になる虞がある。しかし本発明では充分な可撓性が得られる程度に可撓性部材が構成されているので、このような不具合を生じることがない。
【００２３】
また、本発明の第５の態様は、前記第３または第４の態様において、前記ガイド部材は前記ホッパまたは前記手差しトレイにセットされる被記録媒体の先端が当接する略垂直な当接面を有し、当該当接面が前記ガイド面と連続して設けられていることを特徴とする。
【００２４】
本発明によれば、ホッパまたは手差しトレイに被記録媒体をセットする場合に、その先端がガイド部材の当接面に当接する位置に被記録媒体をセットすればよく、もって容易に被記録媒体をセットすることができユーザーによる操作性（セット性）が良い。また、当接面がガイド面と連続して設けられているので、給送される被記録媒体を当接面からガイド面へとスムーズに移行させることができ、被記録媒体の給送動作をより一層スムーズに行うことができる。
【００２５】
また、本発明の第６の態様は、前記第１から第５のいずれかの態様において、前記ホッパの下流側であって、前記第１給送ローラと接触する箇所に摩擦部材が設けられていることを特徴とする。
【００２６】
本発明によれば、ホッパに設けられた摩擦部材の摩擦作用によって、このホッパにセットされた被記録媒体をセット位置で確実に保持することができ、給紙動作時に重送されようとする被記録媒体を規制することができる。また、摩擦部材を第１給送ローラと接触する箇所に配設したことにより、特にホッパにセットされた被記録媒体が少量である場合に、この被記録媒体を第１給送ローラと摩擦部材との間で狭持させることで最上位の被記録媒体を確実に給送させ、下位の被記録媒体の重送を規制することが可能となる。さらに、その配置箇所によって種々のサイズの被記録媒体に対応させることができる。
【００２７】
また、本発明の第７の態様は、前記第１から第６のいずれかの態様において、前記手差しトレイには被記録媒体の幅方向にスライド移動可能に構成され、当該手差しトレイにセットされた被記録媒体の側辺を規制するエッジガイドが設けられていることを特徴とする。
【００２８】
本発明によれば、エッジガイドをスライド移動させることにより、種々のサイズの被記録媒体を手差しトレイにセットすること可能であるとともに、被記録媒体の側辺を規制することで精度良く位置決めすることができ、その姿勢で該被記録媒体を給送させることができる。
【００２９】
また、本発明の第８の態様は、前記第１から第７のいずれかの態様において、前記ホッパの揺動支点は、前記第１ローラとの圧接点から上流側に設けられていることを特徴とする。
【００３０】
本発明によれば、第１給送ローラへの圧接動作によって、ホッパにセットされた被記録媒体の下流側、すなわち被記録媒体先端側を前記第１給送ローラに押圧させることができる。また、手差しトレイにセットされた被記録媒体においては、第１給送ローラへの専用の押圧手段を構成することなく、ホッパの圧接動作によってこの被記録媒体を第１給送ローラに押圧させることができる。すなわち、手差しトレイにセットされた被記録媒体を第１給送ローラに押圧させるにあたり、ホッパにセットされた被記録媒体の場合と同じく、このホッパを兼用して利用することができる。
【００３１】
また、本発明の第９の態様は、前記第８の態様において、前記手差しトレイにおける前記可撓性部材の上流側近傍位置に突出形成された一対の軸を支持する軸受穴が、当該手差しトレイの被記録媒体載置面に対して略垂直方向に延びる長穴で構成されていることを特徴とする。
【００３２】
ホッパは圧接動作により手差しトレイに接触するが、このとき手差しトレイが変位不能（すなわち不動状態）であるとホッパにセットされた被記録媒体が手差しトレイとの間で挟み込まれ、給送負荷を生じさせたり、また手差しトレイによりホッパが押し戻されて被記録媒体の第１給送ローラへの押圧が充分でなくなり、搬送力が不充分になるなどの不具合を生じる虞がある。
しかし本発明によれば、手差しトレイの軸を支持する軸受穴を当該手差しトレイの被記録媒体載置面に対して略垂直方向に延びる長穴で構成することにより、軸が軸受穴中を移動することで手差しトレイをその軸受穴方向（ホッパから離れる方向）に変位させることができる。従って、ホッパの圧接動作によって手差しトレイが押し上げられても上述した不具合を生じることがなく、ホッパまたは手差しトレイにセットされた被記録媒体を確実に給送することができる。
【００３３】
また、本発明の第１０の態様は、前記第９の態様において、前記手差しトレイは、前記軸を支点として揺動可能に構成されていることを特徴とする。
【００３４】
本発明によれば、手差しトレイを揺動させることにより、その上流側を持ち上げることができ、手差しトレイ下の空間、すなわちホッパ上の空間を通常時より大きく確保することができる。従って、ホッパへの被記録媒体のセット作業を容易に行うことができるとともに、セットした被記録媒体に不具合が生じた場合に適切な処理を容易に行うことができる。
【００３５】
また、本発明の第１１の態様は、被記録媒体に記録を行う記録装置であって、前記第１から第１０のいずれかの態様の給送装置を具備していることを特徴とする。
【００３６】
また、本発明の第１２の態様は、被噴射媒体と接触し、回動することにより該被噴射媒体を下流側に給送する第１給送ローラと、被噴射媒体を略水平姿勢で複数枚セット可能に構成され、揺動することにより前記第１給送ローラに対して圧接及び離間動作可能なホッパと、前記ホッパの上部に構成され、被噴射媒体を前記第１給送ローラ下まで手差しでセット可能な手差しトレイと、を備え、前記ホッパにセットされた被噴射媒体を前記第１給送ローラによって給送する通常給送経路と、前記手差しトレイにセットされた被噴射媒体を前記第１給送ローラによって給送する手差し給送経路とを有し、前記手差しトレイの下流側が可撓性部材により構成されていることを特徴とする。
【００３７】
【発明の実施の形態】
以下、本発明の「給送装置」を具備した「記録装置」及び「液体噴射装置」の一実施形態であるインクジェットプリンタ（以下、「プリンタ」という。）１の構成について図面に沿って説明する。
ここで、図１はプリンタの外観斜視図であり、図２はプリンタの外観を構成するカバー体を取り外した状態における外観斜視図であり、図３はプリンタの用紙搬送経路の説明に供する側断面概略図であり、図４はプリンタの用紙搬送経路の説明に供する平面図であり、図５はプリンタの給紙部を示す要部斜視図であり、図６から図８は通常給送経路を経た用紙給送動作を示す給紙部の側面図であり、図９から図１１は手差し給送経路を経た用紙給送動作を示す給紙部の側面図であり、図１２は手差しトレイ回動状態における給紙部の側面図であり、図１３及び図１４は用紙排出経路の説明に供する要部側断面図である。
【００３８】
図１において、「被記録媒体」及び「被噴射媒体」の一例としての印刷用紙（以下、「用紙」という。）Ｐにインク滴を吐出することによって記録（印刷）を行うプリンタ１は、装置本体部２と、この装置本体部２の下にオプション給紙ユニット（以下、「ＯＰＴユニット」という。）３とを連結可能に構成されている。装置本体部２は給紙部、記録部、排紙部等（詳細は後述）を有し、一方ＯＰＴユニット３は、上部の装置本体部２に向けてセットされた用紙Ｐを１枚ずつ給紙する給紙部（図示せず）を備えている。
【００３９】
このプリンタ１は、装置本体部２に給紙トレイ２００を、ＯＰＴユニット３に給紙トレイ３００を有し、双方の給紙トレイに複数枚（本実施形態では、それぞれ普通紙５００枚程度）の用紙Ｐを略水平姿勢として積層状態でセットできるようになっている。そして、装置本体部２の側においては、給紙トレイ２００が装置本体部２に対して着脱可能に設けられている。この給紙トレイ２００の上部には用紙Ｐを手差しでセットして給送可能な手差しトレイ６０が構成されている。また、ＯＰＴユニット３の側においては、給紙トレイ３００がＯＰＴユニット３に対して着脱可能に設けられ、ＯＰＴユニット３から取り外した状態で用紙Ｐのセットが可能となっている。
【００４０】
プリンタ１は、記録の行われた用紙Ｐを排出する排出部として装置本体部２の上部に、記録面を下向きにして用紙Ｐを装置前方側に向けて排出するフェイスダウン（以下、「Ｆｄ」と略称する。）用紙排出口４００と、これとは別に記録面を上向きにして装置後方側に向けて排出するフェイスアップ（以下、「Ｆｕ」と略称する。）用紙排出口５００とを有している。
【００４１】
Ｆｄ用紙排出口４００の側においては、装置手前側に設けられた回動軸を中心にして回動することにより、装置手前側に向けて開くことのできるカバー４５０が設けられている。図１は、このカバー４５０を開いた状態を示すものであり、このように開いた状態においてカバー４５０は、Ｆｄ用紙排出口４００から排出される用紙Ｐをスタックする排紙スタッカとして機能する。また、閉じた状態においては、装置上部の外観を構成するとともに装置内部への塵埃等の浸入を防止する機能を果たす。さらに、Ｆｕ用紙排出口５００の側においては、排紙スタッカ５５０が傾斜姿勢で設けられていて、Ｆｕ用紙排出口５００から排出された用紙Ｐは、この排紙スタッカ５５０上に傾斜姿勢で順次積層される。
【００４２】
また、装置本体部２の上部には、用紙搬送経路を開放可能な開閉蓋４１０が設けられている。これにより、用紙搬送経路において紙ジャムなどの不具合が生じた場合に適切に処理できるようになっている。
【００４３】
続いて、図２は、プリンタ１の外観を構成するカバー体を取り外した状態を示すものである。図２において、装置本体部２の上部前方側には、インクカートリッジ１３２をプリンタ１の幅方向に複数個（本実施形態では４個）セットするためのカートリッジ取付フレーム１３０が設けられている。本実施形態に係るプリンタ１においては、このカートリッジ取付フレーム１３０にブラック色、シアン色、マゼンダ色、イエロー色の、計４個のインクカートリッジ１３２を着脱可能に装着できるようになっている。このインクカートリッジ１３２は、プリンタ１の外観を構成するカートリッジカバー１３８（図１参照）を開放させることで露呈されるように構成され、カートリッジカバー１３８を開放した状態において装置前方側から後方側に向けて差し込むようにして装着可能であり、装置前方側に引き出すことで取り外すことができるようになっている。そして、各インクカートリッジ１３２中のインクは図示しないインクチューブを介して、後述する記録ヘッド１０からインク滴として吐出される。
【００４４】
次に、図３を参照しながらプリンタ１の用紙搬送経路について概説する。図３において右手側が装置前方側、左手側が装置後方側である。
プリンタ１は、装置下部前方側から装置上部後方側に向けて斜めに用紙Ｐを搬送する用紙搬送経路を有し、傾斜した搬送経路上において用紙Ｐに記録を行い、記録の行われた用紙Ｐを斜め上方（装置前方側又は装置後方側）に向けて排出する構成を有している。また、プリンタ１は用紙Ｐの表面と裏面との両面にインクジェット記録を行うべく、表面に記録の行われた用紙Ｐを反転させ、そして再び記録部へと搬送するための両面記録用の反転経路を有している。
【００４５】
より詳しくは、プリンタ１の用紙搬送経路は、給紙部７と、記録部８と、フェイスダウン（Ｆｄ）排出部５と、フェイスアップ（Ｆｕ）排出部６と、用紙反転部４と、から大略構成される。なお、図３での図示及び説明を省略するが、給紙部７の下には上述したＯＰＴユニット３が装着されることにより、記録部８へと用紙を給紙する給紙部が更に追加される。
【００４６】
以下、本実施形態に係るプリンタの構成部ごとに説明する。なお、ここでは用紙反転部４についての説明は省略する。さらに、以下では用紙搬送経路の上流側を「上流側」と言い、用紙搬送経路の下流側を「下流側」と言うこととする。
【００４７】
［給紙部］
ここで、給紙部７の構成について図３から図１２を参照しつつ説明する。
給紙部７は、ホッパ２０３と、このホッパ２０３の上部に配設された手差しトレイ６０と、ガイド部材５０と、「第１給送ローラ」の一例であるピックアップローラ２５と、「被記録媒体給送手段」を構成する給紙ローラ２１及びリバースローラ２３とを有している。
【００４８】
ホッパ２０３は、積層状態で給紙トレイ２００（図１）にセットされる複数枚の用紙Ｐを略水平姿勢で支持し、ピックアップローラ２５との圧接点から上流側に設けられた回動軸２０３ａを中心にして揺動することにより、ホッパ駆動手段（図示せず）によってピックアップローラ２５に対して圧接及び離間動作可能に構成されている。この圧接動作によりホッパ２０３または手差しトレイ６０にセットされた用紙Ｐをピックアップローラ２５に押圧させることができる。すなわち、ホッパ２０３は、ホッパ２０３にセットされた用紙Ｐをピックアップローラ２５に押圧させる手段と、手差しトレイ６０にセットされた用紙Ｐをピックアップローラ２５に押圧させる手段と、を兼用するように構成されている。従って、手差しトレイにセットされた用紙Ｐをピックアップローラ２５に押圧させる手段を別に設けることを要しないため、装置構成を簡易にすることが可能である。
【００４９】
また、ピックアップローラ２５と接触する箇所には、「摩擦部材」の一例であるコルク部材２０４が設けられており、ホッパ２０３にセットされた用紙Ｐをその摩擦作用によって保持しているとともに、給送動作時には用紙Ｐをこのコルク部材２０４とピックアップローラ２５とで狭持することにより、重送されようとする用紙Ｐを規制する。さらに、図示するようにコルク部材２０４をホッパ２０３の下流側に設けたことにより、種々のサイズの用紙Ｐに対応させることができる。
【００５０】
ホッパ２０３の上部には手差しトレイ６０が配設されており、用紙Ｐを手差し給紙できるようになっている。この手差しトレイ６０は、上流側のトレイ本体部６１と、下流側の「可撓性部材」の一例であるルミナー１００により構成されている。このルミナー１００は、図６に示す如く、トレイ本体部６１の下流端部からピックアップローラ２５より下流側であり、かつ、ホッパ２０３または当該手差しトレイ６０にセットされる用紙Ｐ先端位置より上流側まで延在して設けられている。すなわち、ホッパ２０３のピックアップローラ２５に対する圧接によってこのホッパ２０３と接触する箇所であり、また、手差しトレイ６０またはホッパ２０３にセットされた用紙Ｐ先端位置に対応する箇所にルミナー１００が配設されている。また、ピックアップローラ２５とは接触することがないように、その周囲は切欠されている（図５参照）。
【００５１】
このような構成により、手差しトレイ６０に用紙Ｐをセットする場合に、トレイ本体部６１の用紙載置面６１ａからルミナー１００の上面に沿って案内させることにより、用紙Ｐを容易にピックアップローラ２５下にセットすることができる。なお、可撓性部材であるルミナー１００の可撓性の程度は、ルミナー１００の素材、厚み、トレイ本体部６１下流端部から先端までの長さなどにより適宜調整することができる。
【００５２】
さらに、手差しトレイ６０には用紙Ｐの幅方向（図６における紙面前後方向）にスライド移動可能に構成され、セットされた用紙Ｐの側辺を規制するエッジガイド６２が設けられている。これにより手差しトレイ６０にセットされた用紙Ｐは、その一側辺を固定側エッジガイドとして機能する図示しないフレームにあてがわれ、他側辺をこのエッジガイド６２によって規制されることにより精度良く位置決めされ、その姿勢を維持したまま給送される。なお、このエッジガイド６２は、後述する偏倚して設けられたピックアップローラ２５と反対側に設けられている。すなわち、ピックアップローラ２５が設けられている側がセットされる用紙Ｐの基準となるものである。
【００５３】
また、本実施形態に係る手差しトレイ６０は、図６に示す如く、トレイ本体部６１から用紙載置面６１ａに沿って突出形成された一対の回動軸６３及びスライド軸６４によってフレーム（図示せず）に取り付けられている。回動軸６３は手差しトレイ６０を側視して円形に形成され、トレイ本体部６１の下流側位置に設けられ、当該手差しトレイ６０の用紙載置面６１ａに対して略垂直方向（図６において上下方向）に延びる長穴に形成された軸受穴７３によって支持されている。このような構成により、回動軸６３が軸受穴７３中を移動することで手差しトレイ６０をその軸受穴７３方向に変位させることができる。
【００５４】
一方、スライド軸６４は手差しトレイ６０を側視して略長方形に形成され、トレイ本体部６１の上流側位置に設けられ、当該手差しトレイ６０の用紙載置面６１ａに対して略垂直方向（図６において上下方向）に延びる長穴に形成されたスライド穴７４によって支持されている。このような構成により、スライド軸６４がスライド穴７４中を移動することで手差しトレイ６０を、回動軸６３を支点として回動させることができる。これにより図１２に示す如く手差しトレイ６０を持ち上げることができ当該手差しトレイ６０の下、すなわちホッパ２０３上の空間を大きく確保することができる。従って、ホッパ２０３への用紙Ｐのセットを容易に行うことができるとともに、セットした用紙Ｐに不具合が生じた場合に適切な処理をすることができる。なお、通常時では手差しトレイ６０の自重によって回動軸６３及びスライド軸６４は、軸受穴７３及びスライド穴７４の下端に位置決めされている（図６参照）。
【００５５】
ホッパ２０３の下流側には用紙Ｐの幅方向に長く形成された側面視略「への字形」のガイド部材５０が設けられている。このガイド部材５０には、ホッパ２０３または手差しトレイ６０にセットされる用紙Ｐの先端が当接することによって位置決めされる、略垂直な当接面５０ａが構成されている。これにより用紙Ｐをホッパ２０３または手差しトレイ６０にセットする場合に容易に精度良く位置決めすることができ、操作性を高めることができる。また、この当接面５０ａは給送される用紙Ｐをガイドするガイド面５０ｂと連続して設けられているとともに、用紙Ｐ幅方向に所定の間隔をもって形成されたリブ５１が、当接面５０ａからガイド面５０ｂまで連続して構成されている。このような構成により、用紙Ｐをリブ５１に沿ってスムーズに給送させることができる。
【００５６】
ピックアップローラ２５は、円柱状に形成され、その外周面が高摩擦材（例えば、ゴム材）によって構成されている。そして、ホッパ２０３が圧接することにより、ホッパ２０３上にセットされた最上位の用紙Ｐと接触し、この接触状態で回動することにより該用紙Ｐを下流側の給紙ローラ２１及びリバースローラ２３に向けて送り出す。また、手差しトレイ６０に用紙Ｐがセットされている場合には、ホッパ２０３の圧接によってこの用紙Ｐと接触し、この接触状態で回動することにより、手差しトレイ６０にセットされた用紙Ｐを下流側に向けて送り出す。
【００５７】
すなわち、本実施形態のプリンタ１は、ホッパ２０３にセットされた用紙Ｐをピックアップローラ２５によって給送する通常給送経路と、手差しトレイ６０にセットされた用紙Ｐをピックアップローラ２５によって給送する手差し給送経路とを有しており、手差しトレイ６０にセットされた用紙Ｐがホッパ２０３にセットされた用紙Ｐより優先的に給送されるように構成されている。ここで、「通常給送経路」における「通常」とは、手差しトレイ６０に用紙Ｐをセットしない限りにおいて使用されるものであり、また使用頻度が大であることによる。従って、例えばホッパ２０３にセットされている用紙Ｐと異なる用紙Ｐに記録（印刷）したい場合に、その異なる用紙Ｐを手差し給送経路を経て給送させることができ、利便性が高い。
【００５８】
ピックアップローラ２５の下流側近傍には、給紙ローラ２１及びこの給紙ローラ２１に対置したリバースローラ２３が配設されており、通常給送経路または手差し給送経路を経て給送された用紙Ｐをガイド部材５０のガイド面５０ｂに沿わせて斜め上方下流に向けて給送する。これらのローラは、ピックアップローラ２５と同様に円柱状に形成され、外周面は高摩擦材（例えば、ゴム材）によって構成されている。また、給紙ローラ２１及びリバースローラ２３は、図４及び図５に示すように偏倚した位置に配設され、ピックアップローラ２５も同様に、図４及び図５に示すように偏倚した位置に設けられている。また、給紙ローラ２１の回動軸２１ａには回転板２４，２４が設けられ、幅広の用紙Ｐを給送する場合にその上面に接触することにより浮き上がりを規制している。
【００５９】
給紙ローラ２１は用紙Ｐを下流側に給送する回転方向（図６において時計方向）に回転駆動され、一方、リバースローラ２３は用紙Ｐを上流側に戻すような回転方向（図６において時計方向）に回転駆動可能に構成されている。ピックアップローラ２５によって送り出された用紙Ｐは、給紙ローラ２１とリバースローラ２３との間で狭持された状態で給紙ローラ２１が回転することにより、最上位の用紙Ｐが次位以降の用紙Ｐから分離され、最上位の用紙Ｐ（すなわち、１枚の用紙）のみがガイド面５０ｂに沿って斜め上方に向けて給送されて下流側の搬送駆動ローラ２８に至る。すなわち、用紙Ｐはホッパ２０３または手差しトレイ６０に支持された略水平姿勢から、湾曲姿勢となって下流側に給送される。
【００６０】
また、リバースローラ２３は給紙ローラ２１に圧接した状態（図３の状態）と、給紙ローラ２１から離間した状態とをとり得るように構成されている。そして、用紙Ｐを上流側に戻す方向に回転することにより重送されようとする次位以降の用紙Ｐを確実に規制し、最上位の用紙Ｐのみを下流側に給紙する。そして、リバースローラ２３は、用紙Ｐの先端が搬送駆動ローラ２８と搬送従動ローラ２９とに狭持された後は、搬送駆動ローラ２８による用紙Ｐの搬送動作を阻害しないように、つまり搬送負荷（バックテンション）を与えることがないように、給紙ローラ２１から離間する。
【００６１】
ここで、通常給送経路を経る用紙Ｐの給送動作について図６から図８を参照しつつ説明する。
まず、図６に示す如く、その先端がガイド部材５０の当接面５０ａに当接するように複数枚の用紙Ｐが積層状態でホッパ２０３に略水平姿勢となってセットされる。そして用紙Ｐの後辺がバックストッパー２０６により、側辺がサイドストッパー２０７により規制され、正確に位置決めされる（図５参照）。このホッパ２０３にセットされた用紙Ｐは、ホッパ２０３の圧接動作により押し上げられ、ピックアップローラ２５に押圧（接触）される。この接触状態でピックアップローラ２５が用紙Ｐを下流側に給送する方向に回転駆動することにより、図７に示す如く、１枚または複数枚の用紙Ｐが給送され始め、斜め上方に延びるガイド部材５０のガイド面５０ｂに沿って湾曲姿勢となり下流側（給紙ローラ２１及びリバースローラ２３に向けて）に給送される。このホッパ２０３の圧接動作によって用紙Ｐが手差しトレイ６０に接触するが、その接触箇所は可撓性部材であるルミナー１００により構成されているので用紙Ｐが接触することで撓み変形し、この用紙Ｐに接触痕などの不具合を残すことがないようになっている。また同様に、用紙Ｐは下側からホッパ２０３によって上側からルミナー１００によって狭持されるが、ルミナー１００が撓み変形することによりその狭持力が弱まり、給送される用紙Ｐに負荷を生じさせることがない。さらに、上述したように手差しトレイ６０は、軸受穴７４の方向（すなわち、ホッパ２０３から離れる方向）に変位可能であるので、ルミナー１００の可撓性に加えてホッパ２０３の圧接による不具合をより一層確実に防ぐことができる。
【００６２】
また、上述したようにルミナー１００をガイド部材５０の当接面５０ａに当接した用紙Ｐ先端より上流側に配設した構成であるので、用紙Ｐは、ルミナー１００とガイド部材５０との間を通って給送される。すなわち、ルミナー１００によってホッパ２０３にセットされた用紙Ｐの給送がなんら妨げられることがないようになっている。
【００６３】
そして、用紙Ｐが給紙ローラ２１とリバースローラ２３とによって狭持され、給紙ローラ２１が用紙Ｐを下流側に給送する方向に回転駆動することにより、図８に示す如く、更に下流側に給送される。ピックアップローラ２５により複数枚の用紙Ｐが給送された場合には、それらの用紙Ｐが給紙ローラ２１とリバースローラ２３とで狭持されることにより、最上位の用紙Ｐが次位以降の用紙Ｐから分離され、この最上位の用紙Ｐのみが下流側に給送される。
【００６４】
次に、手差し給送経路を経る用紙Ｐの給送動作について図９から図１１を参照しつつ説明する。なお、ここでは１枚の用紙Ｐを手差しトレイ６０にセットした場合について説明する。
まず、図９に示す如く手差しトレイ６０に用紙Ｐがセットされる。この手差しトレイ６０にセットされる用紙Ｐは、トレイ本体部６１の用紙載置面６１ａからその下流側のルミナー１００の上面に沿って装置後方（すなわち下流側）に向けて差し込まれ、その先端が当接面５０ａに当接する位置にセットされる。そして、エッジガイド６２をスライド移動させることによりこの用紙Ｐの側辺が規制され、正確に位置決めされる。
【００６５】
この手差しトレイ６０にセットされた用紙Ｐは、ホッパ２０３の圧接動作によってコルク部材２０４とピックアップローラ２５との間で狭持される。このとき、ルミナー１００は、図１０に示す如く撓み変形して、用紙Ｐ先端を当接面５０ａから離間させてガイド面５０ｂに向けさせる。すなわち、用紙Ｐに給送力が付与されたならば、その用紙Ｐをガイド面５０ｂに向けて給送できるようにその姿勢を準備する。このような構成により、本実施形態にように手差しトレイ６０からの手差し給送経路とその下流側のガイド面５０ｂに沿った用紙給送経路とが直線上に構成されていない場合であっても、用紙Ｐをその用紙給送経路へと確実にガイドすることができるようになっている。
【００６６】
そして、ピックアップローラ２５に用紙Ｐが押圧された状態でこのピックアップローラ２５が用紙Ｐを下流側に給送する方向に回転駆動することにより、図１０に示す如く給送され始め、斜め上方に延びるガイド部材５０のガイド面５０ｂに沿って下流側（給紙ローラ２１及びリバースローラ２３に向けて）給送される。このように用紙Ｐのピックアップローラ２５への押圧は、ホッパ２０３によりなされるため、手差しトレイ６０にセットされた用紙Ｐをピックアップローラ２５に押圧させる特別の機構を要せず、装置構成を簡易にできる。
【００６７】
そして、用紙Ｐが給紙ローラ２１とリバースローラ２３とによって狭持され、給紙ローラ２１が用紙Ｐを下流側に給送する方向に回転駆動することにより、図１１に示す如く更に下流側に給送される。このとき用紙Ｐは図１１に示すように湾曲姿勢に変形されて給送されるため復元作用（用紙が有する剛性。いわゆる、「コシ」。）に基づく反力が生じ、その後端が手差しトレイ６０に押しつけられる。しかし、手差しトレイ６０の下流側が可撓性部材であるルミナー１００により構成されているため用紙Ｐの押圧によって撓み変形し、この用紙Ｐに生じる反力を弱めることができる。従って、用紙Ｐの手差しトレイ６０への押圧による給送負荷（バックテンション）を低減させることができ、この用紙Ｐをスムーズに給送させることができるようになっている。
【００６８】
［記録部］
次に、記録部７の構成について図３及び図４を参照しつつ説明する。
給紙部７の下流側に設けられた記録部８は、搬送駆動ローラ２８と、搬送従動ローラ２９と、「液体噴射ヘッド」の一例としての記録ヘッド１０と、プラテン２０と、排紙駆動ローラ３２と、排紙従動ローラ３３と、排紙補助ローラ３５ａ，３５ｂとを有している。搬送駆動ローラ２８は図示しない駆動モータによって回転駆動され、搬送従動ローラ２９は搬送駆動ローラ２８に接して従動回転する。搬送従動ローラ２９は、図４に示すように１つの搬送従動ローラホルダ２６の下流側（図４における上側）に２つ、自由回転可能に軸支されている。また、この搬送従動ローラホルダ２６は、主走査方向（図４の左右方向）に４つ配設されている。
【００６９】
さらに、搬送従動ローラホルダ２６において搬送従動ローラ２９の下流側近傍には、ガイドローラ３０が自由回転可能に軸支されている。このガイドローラ３０は、用紙Ｐのプラテン２０からの浮き上がりを防止する機能を果たすものであり、これにより用紙Ｐと記録ヘッド１０との距離が安定し、適切な記録品質を得ることが可能となる。
【００７０】
搬送駆動ローラ２８の下流側には、記録ヘッド１０とプラテン２０とが傾斜姿勢で上下に対向するように設けられている。ここで、記録部８における用紙搬送経路は図３に示すように傾斜角を有し、本実施形態においては、水平面に対して約６０°の傾斜角を有するように用紙搬送経路が構成されている。従って、プラテン２０と記録ヘッド１０とは、図示するように傾斜姿勢で設けられている。記録ヘッド１０はキャリッジ１１の下部に設けられ、このキャリッジ１１は主走査方向（図３の紙面表裏方向）に延びるキャリッジガイド軸１３に取り付けられ、このキャリッジガイド軸１３によってガイドされながら主走査方向に往復移動する。
【００７１】
プラテン２０には、図４に示すように、副走査方向（用紙搬送方向）に延びるリブ２０ａが、主走査方向に所定の間隔をおいて形成されている。そして、用紙Ｐはこのリブ２０ａによって記録ヘッド１０との距離が規制される。また、プラテン２０には、隣接するリブ２０ａの間に用紙Ｐのサイズ（幅寸法）を検出するための主走査方向に延びる長孔２０ｂが形成されている。そして、キャリッジ１１のプラテン２０との対向面には、プラテン２０に向けて放射する光の反射成分を検出する光センサ（図示せず）が設けられていて、用紙Ｐとプラテン２０との反射率差を利用して用紙Ｐの幅寸法を検出することができるようになっている。しかし、用紙Ｐとプラテン２０との反射率差が小さい場合には、用紙Ｐの幅寸法を適切に検出することができない場合がある。このような場合に本実施形態では、光を長孔２０ｂに向けて放射するように構成し、これによって用紙Ｐの幅寸法をより一層正確に検出できるようにしている。
【００７２】
キャリッジ１１は、本実施形態においてはインクカートリッジを搭載せず、インクカートリッジ取付フレーム１３０に装着されたインクカートリッジ１３２から、インクチューブ（図示せず）を介して記録ヘッド１０へとインクが供給されるように構成されている。また、各色のインクカートリッジ１３２には、インクの色などの固定情報の他、インク残量などの変動情報の各インクカートリッジに関する情報を記憶したチップ１３５が装着されており、主走査方向に往復移動するキャリッジ１１に設けられたアンテナ基板１９との間で信号の交換を行っている。これにより、チップ１３５に記憶された各種情報を、プリンタ１の制御部（図示せず）へと伝達できるようになっている。
【００７３】
記録ヘッド１０の下流側には、回転駆動される排紙駆動ローラ３２と、該排紙駆動ローラ３２に接して従動回転する排紙従動ローラ３３とが設けられている。そして、記録ヘッド１０によって記録の行われた用紙Ｐは、排紙駆動ローラ３２の回転によって下流側へ排紙される。また、排紙従動ローラ３３の上流側には、排紙補助ローラ３５ａ，３５ｂが設けられていて、これにより、用紙Ｐのプラテン２０からの浮き上がりがより一層防止される。なお、排紙従動ローラ３３と、排紙補助ローラ３５ａ，３５ｂとは、インク滴が吐出された用紙Ｐの記録面と接触するため、記録面と点接触する歯付きローラによって構成されている。
【００７４】
ここで、排紙駆動ローラ３２及び排紙従動ローラ３３は、図４に示すように主走査方向の配置位置が、リブ２０ａの形成位置と一致するように設けられている。さらに、補助ローラ３５ｂの主走査方向の配置位置は、隣接する２つのリブ２０ａのほぼ中間となるように設けられ、かつ、用紙Ｐの記録面と接触する接触点がリブ２０ａの上面よりもやや下に位置するように構成されている。このような構成により、用紙Ｐがインク滴を吸収することにより膨潤しても、その伸び分が隣接するリブ２０ａの間に逃げ、結果として用紙Ｐには規則的な波打ち状態（コックリング）が形成される。すなわち、リブ２０ａの位置で山となり、補助ローラ３５ｂの位置で谷となる波打ち状態が形成され、これによって用紙Ｐと記録ヘッド１０との距離が著しく不均一となるといった不具合を防止している。
【００７５】
［排出部］
次に、記録の行われた用紙Ｐを排出する排出部について図３、図１３及び図１４を参照しつつ説明する。本実施形態に係るプリンタ１は、用紙Ｐをフェイスダウン（Ｆｄ）用紙排出口４００から排出させるフェイスダウン（Ｆｄ）排出部５と、フェイスアップ（Ｆｕ）用紙排出口５００から排出させるフェイスアップ（Ｆｕ）排出部６とを有している。まず、フェイスダウン（Ｆｄ）排出部５から説明する。
【００７６】
［フェイスダウン（Ｆｄ）排出部］
Ｆｄ排出部５は、記録部８の下流側に設けられ、屈曲ローラ３７と、Ｆｄ排出駆動ローラ４１と、Ｆｄ排出従動ローラ４３と、を備えている。排紙駆動ローラ３２の下流側には、該排紙駆動ローラ３２によって記録部８から排紙された用紙Ｐを、フェイスダウン（Ｆｄ）経路またはフェイスアップ（Ｆｕ）経路のいずれかに切り替えるＦｄ／Ｆｕ切替部材９０が設けられている。Ｆｄ経路は用紙ＰをＦｄ用紙排出口４００から排出するための用紙搬送経路であり、Ｆｕ経路はＦｕ用紙排出口５００から排出するための用紙搬送経路である。
Ｆｄ／Ｆｕ切替部材９０は、揺動軸９０ａを中心にして、用紙搬送経路を側視して揺動可能（図３の時計方向及び反時計方向）に設けられ、揺動することにより、記録部８から排紙された用紙Ｐの進行方向を切り替える。
【００７７】
図１３は、Ｆｄ／Ｆｕ切替部材９０が、記録部８から排紙された用紙Ｐの進行方向をＦｄ経路に切り替えた状態を示している。記録部８から排紙された用紙Ｐ先端は、Ｆｄ／Ｆｕ切替部材９０に形成された滑らかな湾曲面９０ｂに当接する。そして、用紙Ｐ先端は、湾曲面９０ｂと、該湾曲面９０ｂの下流側に設けられた外側ガイド部材９１とに接しながら進み、やがてＦｄ排出駆動ローラ４１とＦｄ排出従動ローラ４３とによって狭持される。Ｆｄ排出駆動ローラ４１はゴムローラからなり、図示しない駆動手段によって回転駆動され、一方のＦｄ排出従動ローラ４３は歯付きローラからなり、Ｆｄ排出駆動ローラ４１に接して従動回転する。そして、Ｆｄ排出駆動ローラ４１が回転駆動されることにより、Ｆｄ排出口４００（図１）から装置前方（矢印「Ｆｄ」で示す方向）に向けて記録の行われた用紙Ｐが排出される。
【００７８】
用紙Ｐが上記Ｆｄ経路を進行して排出される場合には、用紙Ｐは記録面を内側にして略Ｕ字形の形状に湾曲させられて排出される。従って、Ｆｄ経路を進行して排出される場合には、排紙スタッカ４５０（図１）に積重される用紙Ｐは、記録（印刷）した順に順序良く積み重ねられる。
【００７９】
［フェイスアップ（Ｆｕ）排出部］
次に、フェイスアップ（Ｆｕ）排出部６について説明する。このＦｕ排出部６は、記録部８の下流側であって装置本体部２の後方側（図３の左側）に設けられており、Ｆｕ排出駆動ローラ４５と、Ｆｕ排出従動ローラ４７とを備えている。用紙ＰがＦｕ経路を進行して排出される場合には、Ｆｄ／Ｆｕ切替部材９０は、図１３に示す状態から揺動軸９０ａを中心として反時計方向に揺動することにより、図１４に示すように、記録部８から排紙された用紙Ｐが斜め上方（図１４の左上方向）に真っ直ぐに進む用紙搬送経路が形成される。そして記録部８から排紙された用紙Ｐ先端は、Ｆｕ排出駆動ローラ４５とＦｕ排出従動ローラ４７とによって狭持される。
【００８０】
そして、Ｆｕ排出駆動ローラ４５が回転駆動されることにより、Ｆｕ用紙排出口５００（図１参照）から装置後方（矢印「Ｆｕ」で示す方向）に向けて排出される。なお、Ｆｕ排出従動ローラ４７は歯付きローラからなり、ゴムローラによって形成されたＦｕ排出駆動ローラ４５に接して従動回動するように構成されている。また、Ｆｕ排出従動ローラ４７の下流側近傍には歯付きローラからなるＦｕ排出補助ローラ４９が設けられ、Ｆｕ排出駆動ローラ４５による用紙Ｐの排出動作を補助する。また、このとき屈曲ローラ３７は、用紙Ｐの記録面の、Ｆｄ／Ｆｕ切替部材９０への接触を防止する機能を果たす。
【００８１】
用紙ＰがＦｕ経路を進行して排出される場合には、用紙Ｐには湾曲状態は形成されず、記録面を上にして記録部８からほぼ真っ直ぐに排出される。従って、上記Ｆｕ経路を利用することにより、厚手の用紙やコシの強い用紙でも無理なく記録を行い、かつ適切に排出することが可能である。
【図面の簡単な説明】
【図１】本実施形態に係るインクジェットプリンタの外観斜視図。
【図２】同プリンタの外観斜視図。
【図３】同プリンタの用紙搬送経路を示す側断面概略図。
【図４】同プリンタの用紙搬送経路を示す平面図。
【図５】同プリンタの給紙部を示す要部斜視図。
【図６】通常給送経路を経る用紙給送動作を示す給紙部の側面図。
【図７】通常給送経路を経る用紙給送動作を示す給紙部の側面図。
【図８】通常給送経路を経る用紙給送動作を示す給紙部の側面図。
【図９】手差し給紙経路を経る用紙給紙動作を示す給紙部の側面図。
【図１０】手差し給紙経路を経る用紙給紙動作を示す給紙部の側面図。
【図１１】手差し給紙経路を経る用紙給紙動作を示す給紙部の側面図。
【図１２】手差しトレイ回動状態を示す給紙部の側面図。
【図１３】同プリンタの用紙搬送経路を示す要部拡大側断面図。
【図１４】同プリンタの用紙搬送経路を示す要部拡大側断面図。
【符号の説明】
１  インクジェットプリンタ、  ２  装置本体部、
３  オプション給紙ユニット、  ４  用紙反転部、
５  フェイスダウン排出部、  ６  フェイスアップ排出部、７  給紙部、
８  記録部、  １０  記録ヘッド、  １１  キャリッジ、
１３  キャリッジガイド軸、  １９  アンテナ基板、  ２０  プラテン、
２１  給紙ローラ、  ２３  リバースローラ、  ２４  回転板、
２５  ピックアップローラ、  ２６  搬送従動ローラホルダ、
２８  搬送駆動ローラ、  ２９  搬送従動ローラ、  ３０  ガイドローラ、
３２  排紙駆動ローラ、  ３３  排紙従動ローラ、
３５ａ，３５ｂ  排紙補助ローラ、  ３７  屈曲ローラ、
４１  Ｆｄ排出駆動ローラ、  ４３  Ｆｄ排出従動ローラ、
４５  Ｆｕ排出駆動ローラ、  ４７  Ｆｕ排出従動ローラ、
４９  Ｆｕ排出補助ローラ、  ５０  ガイド部材、  ５１  リブ、
６０  給紙トレイ、  ６１  トレイ本体部、  ６２  エッジガイド、
６３  回動軸、  ６４  スライド軸、  ７３  軸受穴、  ７４  スライド穴、
９０  Ｆｄ／Ｆｕ切替部材、  ９１  外側ガイド部材、  １００  ルミナー、
１３０  カートリッジ取付フレーム、  １３２  インクカートリッジ、
１３５  チップ、  １３８  カートリッジカバー、  ２００  給紙トレイ、
２０３  ホッパ、  ２０４  コルク部材、  ２０６  バックストッパー、
２０７  サイドストッパー、  ３００  給紙トレイ、
４００  Ｆｄ用紙排出口、  ４１０  開閉蓋、  ４５０  カバー、
５００  Ｆｕ用紙排出口、  ５５０  排紙スタッカ、  Ｐ  用紙
【図１】
2004269124.tif 000003
【図２】
2004269124.tif 000004
【図３】
2004269124.tif 000005
【図４】
2004269124.tif 000006
【図５】
2004269124.tif 000007
【図６】
2004269124.tif 000008
【図７】
2004269124.tif 000009
【図８】
2004269124.tif 000010
【図９】
2004269124.tif 000011
【図１０】
2004269124.tif 000012
【図１１】
2004269124.tif 000013
【図１２】
2004269124.tif 000014
【図１３】
2004269124.tif 000015
【図１４】
2004269124.tif 000016